(57)【特許請求の範囲】
【請求項１】
遊技領域が設けられた遊技盤と、
前記遊技盤の前方に設けられ、前記遊技領域を少なくとも臨む透過領域と、
前記遊技盤を支持する遊技枠と、
前記遊技枠に設けられ、該遊技枠を装飾する装飾手段と、
前記透過領域へ光を照射可能な複数の発光手段と、
を備えた遊技台であって、
前記遊技盤は、遊技球が通過可能な通路が設けられ、
前記透過領域における複数の領域には、方向変化手段が少なくとも設けられており、
前記方向変化手段は、前記複数の発光手段により照射された光の進行方向を、前方へ変化可能な手段であり、
前記装飾手段の少なくとも一の端部は、前記方向変化手段の前方に突出し、
前記装飾手段は、第一の装飾部を含み、
前記遊技盤は、該遊技盤を装飾する第二の装飾部を備え、
前記第一の装飾部は、該第一の装飾部を照らす第一の発光装置を有し、
前記第二の装飾部は、該第二の装飾部を照らす第二の発光装置を有し、
前記第二の装飾部の一部は、前記通路を一部覆うように突出しており、
前記第二の発光装置は、前記第二の装飾部に覆われる前記遊技盤の内部に設けられている、
ことを特徴とする遊技台。
【請求項２】
請求項１に記載の遊技台であって、
前記装飾手段は、透過性を有する手段である、
ことを特徴とする遊技台。
【請求項３】
請求項１または２に記載の遊技台であって、
前記複数の発光手段は、前記遊技枠に設けられた装飾用発光体であり、
前記装飾用発光体の前方に、前記装飾手段が設けられる、
ことを特徴とする遊技台。
【請求項４】
請求項１乃至３のいずれか一項に記載の遊技台であって、
前記遊技枠は、開閉可能な遊技扉であり、
前記遊技扉の一端側は、回転軸を中心として回動可能に外枠に支持されており、
前記第一の装飾部は、前記遊技扉の他端側に設けられ、
前記第一の装飾部と前記第二の装飾部とは、前記遊技領域を臨む正面視において少なくとも一部が重なるように対向して配置され、
前記第一の装飾部は、前記第二の装飾部より前方側に位置する、
ことを特徴とする遊技台。
【請求項５】
遊技領域を有する遊技盤と、
前記遊技盤を支持する遊技枠と、
前記遊技盤の前方に設けられ、前記遊技領域を少なくとも臨む透過領域と、
前記遊技枠に設けられ、該遊技枠を装飾する装飾手段と、
前記装飾手段を照らす第一の発光手段と、
前記透過領域へ光を照射可能な第二の発光手段と、
を備えた遊技台であって、
前記透過領域における複数の領域には、方向変化手段が少なくとも設けられており、
前記方向変化手段は、前記第二の発光手段より照射された光の進行方向を、前方へ変化可能な手段であり、
前記遊技盤は、ワープ通路を備え、
前記ワープ通路は、前記遊技領域を流下する遊技球をワープ入口からワープ出口に導く通路であり、
前記ワープ通路は、内部を移動する遊技球が外部から視認可能となる透過部を有し、
前記装飾手段の少なくとも一の端部は、前記方向変化手段の前方に突出し、前記透過部の一部を覆うように配置され、
前記装飾手段は、第一の装飾部を含み、
前記遊技盤は、該遊技盤を装飾する第二の装飾部を備え、
前記第一の装飾部は、該第一の装飾部を照らす第三の発光手段を有し、
前記第二の装飾部は、該第二の装飾部を照らす第四の発光手段を有し、
前記第二の装飾部の一部は、前記ワープ通路を一部覆うように突出しており、
前記第四の発光手段は、前記第二の装飾部に覆われる前記遊技盤の内部に設けられている、
ことを特徴とする遊技台。
【発明の詳細な説明】
【技術分野】
【０００１】
本発明は、回胴遊技機（スロットマシン）や弾球遊技機（パチンコ機）に代表される遊技台に関する。
【背景技術】
【０００２】
近年の遊技台においては、多種多様なゲーム性が市場に提供されており、例えば、液晶表示装置や装飾物などを用いて遊技者に対して演出を行うことにより、遊技者の興趣を高めるようにした遊技台が提案されている（例えば、特許文献１参照）。
【先行技術文献】
【特許文献】
【０００３】
【特許文献１】特開２００８−２００３０２号公報
【発明の概要】
【発明が解決しようとする課題】
【０００４】
しかしながら、従来の遊技台では、装飾物などによる迫力が遊技者に伝わりにくく、演出効果を高めるには限界があった。
【０００５】
本発明は、このような従来の問題点を解決するためになされたものであって、従来の遊技台よりも迫力のある演出を行うことができる遊技台を提供することを目的とする。
【課題を解決するための手段】
【０００６】
本発明に係る遊技台は、遊技領域が設けられた遊技盤と、前記遊技盤の前方に設けられ、前記遊技領域を少なくとも臨む透過領域と、前記遊技盤を支持する遊技枠と、前記遊技枠に設けられ、該遊技枠を装飾する装飾手段と、前記透過領域へ光を照射可能な複数の発光手段と、を備えた遊技台であって、前記遊技盤は、遊技球が通過可能な通路が設けられ、前記透過領域における複数の領域には、方向変化手段が少なくとも設けられており、前記方向変化手段は、前記複数の発光手段により照射された光の進行方向を、前方へ変化可能な手段であり、前記装飾手段の少なくとも一の端部は、前記方向変化手段の前方に突出し、前記装飾手段は、第一の装飾部を含み、前記遊技盤は、該遊技盤を装飾する第二の装飾部を備え、前記第一の装飾部は、該第一の装飾部を照らす第一の発光装置を有し、前記第二の装飾部は、該第二の装飾部を照らす第二の発光装置を有し、前記第二の装飾部の一部は、前記通路を一部覆うように突出しており、前記第二の発光装置は、前記第二の装飾部に覆われる前記遊技盤の内部に設けられている、ことを特徴とする遊技台である。
また、本発明に係る遊技台は、遊技領域を有する遊技盤と、前記遊技盤を支持する遊技枠と、前記遊技盤の前方に設けられ、前記遊技領域を少なくとも臨む透過領域と、前記遊技枠に設けられ、該遊技枠を装飾する装飾手段と、前記装飾手段を照らす第一の発光手段と、前記透過領域へ光を照射可能な第二の発光手段と、を備えた遊技台であって、前記透過領域における複数の領域には、方向変化手段が少なくとも設けられており、前記方向変化手段は、前記第二の発光手段より照射された光の進行方向を、前方へ変化可能な手段であり、前記遊技盤は、ワープ通路を備え、前記ワープ通路は、前記遊技領域を流下する遊技球をワープ入口からワープ出口に導く通路であり、前記ワープ通路は、内部を移動する遊技球が外部から視認可能となる透過部を有し、前記装飾手段の少なくとも一の端部は、前記方向変化手段の前方に突出し、前記透過部の一部を覆うように配置され、前記装飾手段は、第一の装飾部を含み、前記遊技盤は、該遊技盤を装飾する第二の装飾部を備え、前記第一の装飾部は、該第一の装飾部を照らす第三の発光手段を有し、前記第二の装飾部は、該第二の装飾部を照らす第四の発光手段を有し、前記第二の装飾部の一部は、前記ワープ通路を一部覆うように突出しており、前記第四の発光手段は、前記第二の装飾部に覆われる前記遊技盤の内部に設けられている、ことを特徴とする遊技台である。
【発明の効果】
【０００７】
本発明に係る遊技台によれば、従来の遊技台よりも迫力のある演出を行うことができる。
【図面の簡単な説明】
【０００８】
【図１】パチンコ機を正面側（遊技者側）から見た外観斜視図である。
【図２】パチンコ機を背面側から見た外観図である。
【図３】遊技盤を正面から見た正面図である。
【図４】パチンコ機を正面から見た正面図である。
【図５】（ａ）パチンコ機の上部を左側から見た左側面図である。（ｂ）パチンコ機の上部を右側から見た右側面図である。（ｃ）パチンコ機の左側を上部から見た平面図である。（ｄ）パチンコ機の右側を上部から見た平面図である。
【図６】（ａ）図４におけるＡ−Ａ線に沿う断面図であり、右装飾部の長手方向の断面を示したものである。（ｂ）、（ｃ）右装飾部の変形例を示した断面図である。
【図７】変形例１に係るパチンコ機の遊技盤を正面から見た正面図である。
【図８】変形例２に係るパチンコ機の遊技盤を正面から見た正面図である。
【図９】変形例３に係るパチンコ機の遊技盤を正面から見た正面図である。
【図１０】変形例４に係るパチンコ機の遊技盤を正面から見た正面図である。
【図１１】変形例５に係るパチンコ機の遊技盤を正面から見た正面図である。
【図１２】変形例６に係るパチンコ機の遊技盤を正面から見た正面図である。
【図１３】変形例７に係るパチンコ機の遊技盤を正面から見た正面図である。
【図１４】（ａ）変形例７に係るパチンコ機の透明板部材を正面から見た正面図である。（ｂ）（ａ）におけるＢ−Ｂ線に沿った断面図である。
【図１５】パチロットを正面側（遊技者側）から見た外観斜視図である。
【図１６】図１５において符号Ａで示す部位の部分拡大図である。
【図１７】図１６の正面図である。
【図１８】（ａ）図１７におけるＡ−Ａ線に沿った断面図である。（ｂ）（ａ）の変形例を示す図である。
【発明を実施するための形態】
【０００９】
以下、図面を用いて、本発明の実施形態１に係る遊技台（例えば、パチンコ機１００等の弾球遊技機やスロット機等の回胴遊技機）について詳細に説明する。
【００１０】
＜全体構成＞
まず、図１を用いて、本発明の実施形態１に係るパチンコ機１００の全体構成について説明する。なお、同図はパチンコ機１００を正面側（遊技者側）から見た外観斜視図である。
【００１１】
パチンコ機１００は、外部的構造として、外枠１０２と、本体１０４と、前面枠扉１０６と、球貯留皿付扉１０８と、発射装置１１０と、遊技盤２００と、を備える。外枠１０２は、遊技機設置営業店に設けられた設置場所（島設備等）へと固定させるための縦長方形状から成る木製の枠部材である。本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。また、本体１０４が開放された場合、本体１０４の開放を検出する不図示の内枠開放センサを備える。
【００１２】
前面枠扉１０６は、ロック機能付きで且つ開閉自在となるようにパチンコ機１００の前面側となる本体１０４の前面に対しヒンジ部１１２を介して装着され、枠状に構成されることでその内側を円形状の開口部とした扉部材である。なお、この前面枠扉１０６には、開口部にガラス製又は樹脂製の透明板部材１１８が設けられ、前面側には、スピーカ１２０や、後述する装飾ランプ３００（３０２、３０４、３０６）が取り付けられている。前面枠扉１０６の後面と遊技盤２００の前面とで遊技領域１２４を区画形成する。また、前面枠扉１０６が開放された場合、前面枠扉１０６の開放を検出する不図示の前面枠扉開放センサを備える。
【００１３】
球貯留皿付扉１０８は、パチンコ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を遊技球収集容器（俗称、ドル箱）へと排出させる球排出レバー（図示省略）と、遊技者の操作によって発射装置１１０へと案内された遊技球を遊技盤２００の遊技領域１２４へと打ち出す球発射ハンドル１３４と、遊技者の操作によって各種演出装置の演出態様に変化を与えるチャンスボタン１３６と、チャンスボタン１３６を発光させるチャンスボタンランプ１３８と、を備える。また、下皿１２８が満タンであることを検出する不図示の下皿満タンセンサを備える。
【００１４】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００１５】
図２は、図１のパチンコ機１００を背面側から見た外観図である。パチンコ機１００の背面上部には、上方に開口した開口部を有し、遊技球を一時的に貯留するための球タンク１５０と、この球タンク１５０の下方に位置し、球タンク１５０の底部に形成した連通孔を通過して落下する球を背面右側に位置する払出装置１５２に導くためのタンクレール１５４とを配設している。
【００１６】
払出装置１５２は、筒状の部材からなり、その内部には、不図示の払出モータとスプロケットと払出センサとを備えている。スプロケットは、払出モータによって回転可能に構成されており、タンクレール１５４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００１７】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部へ出力する。なお、この払出センサを通過した遊技球は、不図示の球レールを通過してパチンコ機１００の表側に配設した上皿１２６に到達するように構成しており、パチンコ機１００は、この構成により遊技者に対して球の払い出しを行う。
【００１８】
払出装置１５２の図中左側には、遊技全般の制御処理を行う主制御部を構成する主基板１５６を収納する主基板ケース１５８、主制御部が生成した処理情報に基づいて演出に関する制御処理を行う第１副制御部を構成する第１副基板１６０を収納する第１副基板ケース１６２、第１副制御部が生成した処理情報に基づいて演出に関する制御処理を行う第２副制御部を構成する第２副基板１６４を収納する第２副基板ケース１６６、遊技球の払出に関する制御処理を行う払出制御部を構成するとともに遊技店員の操作によってエラーを解除するエラー解除スイッチ１６８を備える払出基板１７０を収納する払出基板ケース１７２、遊技球の発射に関する制御処理を行う発射制御部を構成する発射基板１７４を収納する発射基板ケース１７６、各種電気的遊技機器に電源を供給する電源管理部を構成するとともに遊技店員の操作によって電源をオンオフする電源スイッチ１７８と電源投入時に操作されることによってＲＡＭクリア信号を主制御部に出力するＲＡＭクリアスイッチ１８０とを備える電源基板１８２を収納する電源基板ケース１８４、および払出制御部とカードユニットとの信号の送受信を行うＣＲインターフェース部１８６を配設している。
【００１９】
図３は、遊技盤２００を正面から見た正面図である。遊技盤２００には、外レール２０２と内レール２０４とを配設し、球が転動可能な遊技領域１２４を区画形成している。
【００２０】
遊技領域１２４の略中央には、演出装置２０６を配設している。図示は省略するが、この演出装置２０６には、装飾図柄や演出に用いる様々な表示を行うための液晶表示装置、普通図柄（普図）の表示を行うための普通図柄表示装置、特別図柄（特図）の表示を行うための特別図柄表示装置、保留している普図変動遊技の数を示すための普通図柄保留ランプ、保留している特図変動遊技の数を示すための特別図柄保留ランプなどを配設している。
【００２１】
この演出装置２０６の左右には、外レール２０２に案内されて遊技領域１２４に打ち出された球が流下（通過）可能な２つの左遊技球通路２０８および右遊技球通路２１０を設けている。また、これらの遊技球通路２０８、２１０には、入賞口（一般入賞口、可変入賞口など）、始動口（普図始動口、特図始動口など）、複数の遊技釘２１４などを配設しているとともに、内レール２０４の最下部には、いずれの入賞口や始動口にも入賞しなかった球をパチンコ機１００の裏側に誘導した後、遊技島側に排出するためのアウト口２１６を設けている。
【００２２】
このパチンコ機１００では、遊技者が上皿１２６に貯留している球を、発射レールの発射位置に供給し、遊技者の球発射ハンドル１３４の操作量に応じた強度で発射モータを駆動することによって、外レール２０２、内レール２０４を通過させて遊技領域１２４に打ち出す。そして、遊技領域１２４の上部に到達した球は、左右の遊技球通路２０８、２１０のいずれかの通路を通過しつつ、遊技釘２１４等によって進行方向を変えながら下方に落下し、入賞口や始動口に入賞するか、いずれの入賞口や始動口にも入賞することなくアウト口２１６に到達する。
【００２３】
＜装飾ランプ＞
図４は、図１のパチンコ機１００を正面側から見た正面図である。また、図５（ａ）は、パチンコ機１００の上部を左側から見た左側面図であり、同図（ｂ）は、パチンコ機１００の上部を右側から見た右側面図であり、同図（ｃ）は、パチンコ機１００の左側を上部から見た平面図であり、同図（ｄ）は、パチンコ機１００の右側を上部から見た平面図である。
【００２４】
上述の装飾ランプ３００は、図１、図４および図５に示すように、前面枠扉１０６の正面視左上から右上に亘って、円形状の透明板部材１１８の外縁に沿うように形成されており、正面視左上の左装飾部３０２、正面視中央の中央装飾部３０４、正面視右上の右装飾部３０６の３つの部位に大まかに分けて考えることができる。
【００２５】
装飾ランプ３００は、前面枠扉１０６を基端として手前方向（遊技者側）に突出形成されており、その突出量が、正面視左上から右上に向かうほど、すなわち、左装飾部３０２、中央装飾部３０４、右装飾部３０６の順番で徐々に大きくなるように成形されている。このため、パチンコ機１００の正面視右側の座席に座った遊技者などが遊技領域１２４を覗き見ることを困難にすることができ、遊技の妨げとなる行為を防ぎ、遊技者に不快感を与えることがない。また、図示はしないが、装飾ランプ３００の内部にはＬＥＤなどの光源が配置されており、装飾ランプ３００の内部から外部に向けて光を出射できるように構成している。
【００２６】
また、装飾ランプ３００の右装飾部３０６は、図４に良く示されるように、透明板部材１１８の一部を覆うように前面枠扉１０６の外側から内側に向けて（遊技者が座る座席の方向に向かって）突出形成されている。このため、右装飾部３０６は、前面枠扉１０６が閉められた状態においては、背面側に位置する遊技領域１２４の一部を覆うように配置され、本実施形態では、遊技領域１２４に形成された右遊技球通路２１０の一部を覆うように配置されている。なお、右装飾部３０６は、手前方向、かつ遊技者が座る座席の方向に向かって突出形成されているため、遊技者に迫力感を伝えることができる場合がある。
【００２７】
また、装飾ランプ３００は、背面に位置する遊技領域１２４が正面から視認可能な透明または半透明の材料（例えば、プラスチック）で成形されている。このため、装飾ランプ３００の右装飾部３０６が、右遊技球通路２１０の一部を覆うように配置されていても、遊技者は、右装飾部３０６の背面を通過する球の動きを視認することは可能であり、遊技の妨げとなることはなく、遊技の公平性を確保することができる。
【００２８】
なお、ここでは装飾ランプ３００全体が透明または半透明の材料で成形されている例を示したが、右装飾部３０６の背面を通過する球の動きを視認できれば足りるため、右装飾部３０６における右遊技球通路２１０との重なり部分のみが透明または半透明の材料で成形されていてもよい。さらに、右装飾部３０６の表面に鏡面処理を施して遊技者が右装飾部３０６に映るように構成し、特定の角度から遊技者の様子が把握できるようにすれば、不正行為などを未然に防止できる場合がある。
【００２９】
図６（ａ）は、図４におけるＡ−Ａ線に沿う断面図であり、右装飾部３０６の長手方向の断面を示したものである。
【００３０】
右装飾部３０６は前面枠扉１０６に固定されているとともに、透明板部材１１８の一部を覆う突出部分は、透明板部材１１８の表面と接触または近接するように透明板部材１１８側に向けて突出されている。このように、右装飾部３０６を透明板部材１１８と接触または近接するように配置すれば、右装飾部３０６に透明板部材１１８側からの外力がかかることを防止することができ、装飾ランプ３００の劣化や破損を防止できる場合がある。また、右装飾部３０６と透明板部材１１８との間の隙間に不正器具などを挿入してパチンコ機１００の内部に細工をするような不正行為を未然に防止できる場合がある。
【００３１】
また、同図（ｂ）、（ｃ）は右装飾部の変形例を示した断面図である。同図（ｂ）では、右装飾部３０６における透明板部材１１８側および前面枠扉１０６側の部位に凹部を形成し、右装飾部３０６と、透明板部材１１８および前面枠扉１０６との間に、内側空間を形成している。このような構成とすれば、右装飾部３０６が熱などの外的要因によって変形した場合でも、当該変形の影響が透明板部材１１８および前面枠扉１０６に及ぶことを防止することができ、透明板部材１１８および前面枠扉１０６の耐久性を高めることができる場合がある。また、右装飾部３０６と透明板部材１１８との間の隙間に不正器具などを挿入してパチンコ機１００の内部に細工をするような不正行為を未然に防止できる場合がある。
【００３２】
一方、同図（ｃ）では、右装飾部３０６と透明板部材１１８との間に隙間を設けている。このような構成とすれば、右装飾部３０６が熱などの外的要因によって変形した場合でも、当該変形の影響が透明板部材１１８に及ぶことを防止することができ、透明板部材１１８の耐久性を高めることができる場合がある。
【００３３】
＜変形例１＞
次に、図７を用いて、変形例１に係るパチンコ機について説明する。この変形例１に係るパチンコ機は、上述のパチンコ機１００が備える遊技盤２００に替えて、１つの遊技球通路３５０が形成された遊技盤３５２を備えるとともに、右装飾部３０６を不透明な材料で成形している。以降、上述のパチンコ機１００と同一の部分については、図において同一の符号を付し、その説明は省略する。
【００３４】
この例では、右装飾部３０６は、前面枠扉１０６が閉められた状態においては、背面側に位置する遊技盤３５２の遊技領域の一部（演出装置２６０の一部）を覆うように配置されるが、右装飾部３０６で覆われる遊技領域３５２には遊技球通路３５０が配置されていない。つまり、右装飾部３０６は、遊技領域３５２の一部を覆うが遊技球通路３５０を覆わない位置に配置されている。このような構成とすれば、遊技領域の一部を視認不能とすることによって遊技者の興趣を高めることができる上に、遊技球通路を通過する球の視認を妨げることがないため、遊技の公平性を確保することができる場合がある。
【００３５】
＜変形例２＞
次に、図８を用いて、変形例２に係るパチンコ機について説明する。この変形例２に係るパチンコ機は、上述のパチンコ機１００が備える右装飾部３０６の突出量を少なくした青色半透明の右装飾部３５６を備えるとともに、この右装飾部３５６の突出方向（長手方向）の遊技盤３５８上に、右装飾部３５６と対向、かつ近接する位置に、レンズカット加工を施した白色半透明の盤面装飾部３６０を配設している。なお、ここでは盤面装飾部３６０にレンズカット加工を施しているが、当該加工を施さないようにすれば、加工に要する費用を削減できる場合がある。
【００３６】
右装飾部３５６における盤面装飾部３６０と対向する側の端部は、遊技盤３５８に形成された遊技球通路３６２の一部を覆うように突出されている一方で、盤面装飾部３６０における右装飾部３５６と対向する側の端部は、遊技球通路３６２の外縁に沿って遊技球通路３６２から突出されることなく配置されている。すなわち、右装飾部３５６と盤面装飾部３６０との間の間隔は、遊技球通路３６２の幅よりも少しだけ狭くされており、遊技球通路３６２を通過する球の一部を右装飾部３５６と盤面装飾部３６０との間の隙間から視認可能な構成としている。また、図示はしないが、右装飾部３５６や盤面装飾部３６０の内部にはＬＥＤなどの光源が配置されており、右装飾部３５６や盤面装飾部３６０の内部から外部に向けて光を出射できるように構成している。
【００３７】
この変形例２に係るパチンコ機によれば、前面枠扉に設けた装飾ランプによる第一の光を用いた演出に加えて、遊技盤に設けた盤面装飾部による第二の光を用いた演出を行うことができる上に、互いを対向させて配置しているため、色や配光特性が異なる２種類の光が混じり合うなど、従来に無い斬新な演出を行うことができる場合がある。また、遊技球通路３６２を通過する球の一部を右装飾部３５６と盤面装飾部３６０との間の隙間から視認可能にするとともに、遊技球通路３６２を通過する球に装飾ランプによる光と盤面装飾部による光の２種類の光を出射することができるため、遊技者による球の見え方を変化させることができ、遊技者の興趣を高めることができる場合がある。
【００３８】
この変形例２では、右装飾部３５６と盤面装飾部３６０を近接する位置に配置し、両者の間に所定の隙間を設けているため、両者を水平方向から観察した場合には両者が離れて見える。しかしながら、例えば、パチンコ機で遊技を行っている遊技者が椅子に座った状態でパチンコ機を下から上に見上げる方向で右装飾部３５６と盤面装飾部３６０を観察した場合には両者が一体的に見えるような配置や形状としている。このため、遊技者には色や配光特性が異なる２種類の光が連なって観察されることになり、遊技者の興趣を高めることができる場合がある。
【００３９】
なお、ここでは、遊技者の目線に合わせて右装飾部３５６と盤面装飾部３６０の配置や形状を設計する例について説明したが、例えば、これに替えて（または、これに加えて）、パチンコ機が設置される遊技店の店員や、遊技者以外の客などの目線に合わせて右装飾部３５６と盤面装飾部３６０の配置や形状を設計してもよい。具体的には、例えば、遊技店の店員がパチンコ機を上から下に見下げる方向で右装飾部３５６と盤面装飾部３６０を観察した場合に両者が一体的に見えるような配置や形状としてもよいし、客がパチンコ機を右側または左側から覗きこんだときに右装飾部３５６と盤面装飾部３６０を観察した場合に両者が一体的に見えるような配置や形状としてもよい。さらに、遊技者、店員、および客のうちの複数、または全ての者が右装飾部３５６と盤面装飾部３６０が一体的に見えるように右装飾部３５６と盤面装飾部３６０の配置や形状を設計してもよい。また、後述する他の変形例についても同様のことが言える。
【００４０】
＜変形例３＞
次に、図９を用いて、変形例３に係るパチンコ機について説明する。上述の変形例２では、盤面装飾部３６０における右装飾部３５６と対向する側の端部が、遊技球通路３６２から突出されないように盤面装飾部３６０を配置したが、この変形例３に係るパチンコ機のように、盤面装飾部３６０における右装飾部３５６と対向する側の端部を遊技球通路３６２上に突出させ、盤面装飾部３６０によって遊技球通路３６２の一部を覆うようにしてもよい。
【００４１】
このような構成とすれば、右装飾部３５６および盤面装飾部３６０の突出部分によって、遊技球通路３６２を通過する球の見え方を変化させることができ、遊技者の興趣を高めることができる場合がある。なお、盤面装飾部３６０の突出部分の裏面（遊技球通路３６２と対向する面）はレンズカット加工を施さずに平滑面に加工すれば、遊技球通路３６２を通過する球が盤面装飾部３６０の突出部分に衝突した場合でも、球の動きを必要以上に変化させることがない上に、遊技球通路３６２や球に向けて出射させる光量を増大させて演出効果を高めることができる場合がある。
【００４２】
＜変形例４＞
次に、図１０を用いて、変形例４に係るパチンコ機について説明する。上述の変形例３では、盤面装飾部３６０における右装飾部３５６と対向する側の端部の大部分を右装飾部３５６に対向させる例を示したが、この変形例４に係るパチンコ機のように、盤面装飾部３７０における右装飾部３５６と対向する側の端部の一部を右装飾部３５６に対向させてもよい。
【００４３】
このような構成としても、右装飾部３５６および盤面装飾部３７０の突出部分によって、遊技球通路３６２を通過する球の見え方を変化させることができ、遊技者の興趣を高めることができる場合がある。また、前面枠扉に設けた装飾ランプによる第一の光を用いた演出に加えて、遊技盤に設けた盤面装飾部による第二の光を用いた演出を行うことができる上に、互いを対向させて配置しているため、色や配光特性が異なる２種類の光が混じり合うなど、従来に無い斬新な演出を行うことができる場合がある。また、遊技球通路３６２を通過する球の一部を右装飾部３５６と盤面装飾部３７０との間の隙間から視認認可能にするとともに、遊技球通路３６２を通過する球に装飾ランプによる光と盤面装飾部による光の２種類の光を出射することができるため、遊技者による球の見え方を変化させることができ、遊技者の興趣を高めることができる場合がある。
【００４４】
＜変形例５＞
次に、図１１を用いて、変形例５に係るパチンコ機について説明する。この変形例５に係るパチンコ機は、上述のパチンコ機１００の遊技盤２００および装飾ランプ３００に替えて、遊技盤３９０と装飾ランプ３９２を備える。遊技盤３９０は、球を上部のワープ入口３８２ａから下部のワープ出口３８２ｂに導くための半透明部材（通過する球を外部から視認可能な部材）からなるワープ通路３８２、および球の進入を妨げるために鉛直方向に配置された外レール３８４を有して構成されている。
【００４５】
また、装飾ランプ３９２は、上述の右装飾部３０６に替えて、右装飾部３９６を備える。右装飾部３９６の一部（突出部）３９６ａは、前面枠扉１０６が閉められた状態においては、背面側に位置する遊技領域３９０の一部を覆うように配置され、この例では、遊技領域３９０に形成されたワープ通路３８２と外レール３８４の一部を覆うように配置されている。また、右装飾部３９６の突出部３９６ａは、ワープ通路３８２を覆う部分によってワープ通路３８２を通過する球が正面から視認不能とならないように、先端に向かって徐々に細くなる先細り形状に成形されている。
【００４６】
なお、突出部３９６の先端の形状は先細り形状に限定されず、例えば、先端部を矩形状に加工したりラウンド加工したりしてもよい。また、突出部は、先端に向かって幅が広くなる拡径形状でもよく、この場合も、突出部の先端部を矩形状に加工したりラウンド加工したりしてもよい。また、遊技盤を流下する球が正面から視認不能となったり、遊技盤に配置された液晶表示装置の表示が見にくくなったりしなければ、突出部が液晶表示装置の一部を覆うような配置や形状としてもよい。他の変形例についても同様である。
【００４７】
この変形例５によれば、右装飾部３９６の突出部３９６ａがワープ通路３８２を通過する球の視認を妨げることがないため、遊技の公平性を確保することができる場合がある。また、右装飾部３９６は、手前方向、かつ遊技者が座る座席の方向に向かって突出形成されるとともに、先細り形状に成形されているため、遊技者に迫力感を伝えることができる場合がある。特に、右装飾部３９６の突出部３９６ａは、遊技に関する情報を表示するための液晶表示装置（遊技領域３９０の中央近傍）に向けて突出形成されているため、右装飾部３９６の先端部が、液晶表示装置を眺める遊技者の視界に入りやすく、自然と遊技者の注目を集めることができる。この結果、遊技中の遊技者に対して常に迫力感を与えることができ、遊技者の興趣を高めることができる場合がある。
【００４８】
なお、右装飾部３９６の突出部３９６ａを透明または半透明の材料で成形すれば、ワープ通路３８２を覆う部分によってワープ通路３８２を通過する球が正面から視認不能とならず、遊技の公平性も担保することができるため、右装飾部３９６の突出部３９６ａの形状は特に限定されない。
【００４９】
＜変形例６＞
次に、図１２を用いて、変形例６に係るパチンコ機について説明する。上述の変形例５では、右装飾部３９６の突出部３９６ａを、先端に向かって徐々に細くなる先細り形状に成形したが、この変形例６に係るパチンコ機のように、当該突出部３９６ａの先端を透明部材や半透明部材で覆ってもよい。
【００５０】
このような構成とすれば、強度の低い部位を保護することができ、右装飾部３９６の耐久性を高めることができるとともに、遊技者等が接触して傷を負うような事態を未然に防止できる場合がある。また、右装飾部３９６は、手前方向、かつ遊技者が座る座席の方向に向かって突出形成されるとともに、先細り形状に成形され、さらに、他の部材で覆われているため、遊技者に迫力感を伝えることができる場合がある。
【００５１】
また、この変形例６では、突出部３９６ａの先端を球の最大直径よりも細い径を有する先細り形状としているため、突出部３９６ａの先端部をワープ通路３８２を覆うように配置しても、突出部３９６ａの先端部が球全体を覆ってしまうようなことがなく、ワープ通路３８２を通過する遊技球の少なくとも一部を正面から視認することができる。したがって、突出部３９６ａの先端部を構成する材料は、透明部材や半透明部材に限定されず、不透明の材料などを適用することができ、上述の変形例５に比べて、素材の選択の幅を広げることができる場合がある。
【００５２】
＜変形例７＞
次に、図１３〜図１４を用いて、変形例７に係るパチンコ機について説明する。この変形例７に係るパチンコ機は、上述のパチンコ機１００の透明板部材１１８に替えて、図１４（ｂ）に示すような透明板部材４００を備える。
【００５３】
前面枠扉４０２は、透明板部材４００を４つの方向から照明するための４つのＬＥＤ４０２ａ〜４０２ｄを備えており、正面視左上のＬＥＤ４０２ａと正面視右下のＬＥＤ４０２ｃが対向する位置に配置され、正面視左下のＬＥＤ４０２ｂと正面視右上のＬＥＤ４０２ｄが対向する位置に配置されている。また、正面視左上のＬＥＤ４０２ａは、装飾ランプ４０４の左装飾部４０６の内部に収容・配置され、正面視右上のＬＥＤ４０２ｄは、装飾ランプ４０４の右装飾部４０８の内部に収容・配置されている。
【００５４】
一方、同図（ｂ）に示すように、透明板部材４００は、平板状の２枚の透明板４００ａと、この２枚の透明板４００ａによって表裏を挟まれるようにして配置される反射板４００ｂによって構成されている。反射板４００ｂには複数のスリットが形成されており、４つのＬＥＤ４０２ａ〜４０２ｄが出射する光によって、例えば、図１４に示すように、正面視でＸの文字が浮かびあがるように光を反射するように構成されている。
【００５５】
４つのＬＥＤ４０２ａ〜４０２ｄは、この例では、装飾ランプ４０４の点灯・消灯と同じタイミングで点灯・消灯するように制御される。このような点灯・消灯制御により、装飾ランプ４０４が点灯すると、図１３に示すように、遊技盤上にＸの文字が浮かびあがるような演出（Ｘ切り演出）が行われる。なお、ここではＬＥＤを用いて光を照射する例を示したが、例えば、有機ＥＬや白熱電球など、他の発光デバイスを適用してもよい。
【００５６】
このように、装飾ランプ４０４に加えて、４つのＬＥＤ４０２ａ〜４０２ｄや透明板部材４００を用いたＸ切り演出を行えば、より迫力のある演出を行うことができ、遊技者の興趣を高めることができる場合がある。
【００５７】
＜変形例８＞
また、上記パチンコ機１００（１種）以外に、パチンコ機（２種、３種）、封入式パチンコ機、およびパチロット等にも適用することができるし、アレンジボール遊技機、じゃん球遊技機、スマートボール等にも適用することができる。
【００５８】
例えば、図１５は、パチロット５００を正面側（遊技者側）から見た外観斜視図である。このパチロット５００は、外枠５０２と、前面枠扉５０４と、これら外枠５０２および前面枠扉５０４によって形成される内部空間内に収容される遊技盤５０６と、を備える。
【００５９】
外枠５０２は、遊技機設置営業店に設けられた設置場所（島設備等）へと固定させるための箱状の部材である。前面枠扉５０４は、ヒンジ部５０８を介して外枠５０２に回動自在に装着された正面視正方形状の板状部材であり、背面側に収容される遊技盤５０６を正面から視認可能とするための円形状の開口部５０４ａを有している。遊技盤５０６には、複数のリールを備えた演出装置５１０が配設されている。また、パチロット５００は、前面枠扉５０４に配設された第１装飾部５２０と、遊技盤５０６の演出装置５１０に配設された第２装飾部５３０と、によって構成される装飾部５４０（５２０、５３０）を備えている。
【００６０】
図１６は、図１５において符号Ａで示す部位の部分拡大図であり、図１７は、図１６の正面図であり、図１８（ａ）は、図１７におけるＡ−Ａ線に沿った断面図である。
【００６１】
第１装飾部５２０は、前面枠扉５０４を基端として演出装置５１０に向かって突出形成された矩形状の第１レンズ５２０ａと、前面枠扉５０４における第１レンズ５２０ａの下方に埋設されて第１レンズ５２０ａに向けて光を出射する第１ＬＥＤ５２０ｂと、を有して構成されている。一方、第２装飾部５３０は、演出装置５１０を基端として前面枠扉５０４に向かって突出形成された矩形状の第２レンズ５３０ａと、演出装置５１０における第２レンズ５３０ａの下方に埋設されて第２レンズ５３０ａに向けて光を出射する第２ＬＥＤ５３０ｂと、を有して構成されている。図１７に良く示されるように、第１レンズ５２０ａと第２レンズ５３０ａは、長手方向の軸心は互いに異なっているが、各々の長手方向の延長上に配置されている。
【００６２】
図１８（ａ）に良く示されるように、前面枠扉５０４は、閉じられた状態（図１５に示す状態）においては、遊技盤５０６上に配設される外レール５１２の上方に位置し、この前面枠扉５０４に配設される第１装飾部５２０の第１レンズ５２０ａは、外レール５１２と演出装置５１０との間に形成された遊技球通路５１４のの一部を上方から（正面側から）覆う位置に配置される。また、演出装置５１０は、遊技盤５０６に埋設されており、この演出装置５１０に配設される第２装飾部５３０の第２レンズ５３０ａは、遊技球通路５１４の一部を上方から（正面側から）覆う位置に配置される。また、第１装飾部５２０の第１レンズ５２０ａは、前面枠扉５０４の厚みの分だけ第２装飾部５３０の第２レンズ５３０ａよりも高い位置に配置される。
【００６３】
このような構成とすれば、第１装飾部５２０と第２装飾部５３０によって、遊技球通路５１４の見え方や、この遊技球通路５１４を通過する球の見え方を変化させることができ、遊技者の興趣を高めることができる場合がある。特に、図１７に示すように、第１装飾部５２０と第２装飾部５３０の長手方向の軸心は互いに異なっているが、各々の長手方向の延長上に配置するとともに、図１８（ａ）に示すように、第１装飾部５２０の第１レンズ５２０ａと第２装飾部５３０の第２レンズ５３０ａの高さを異ならせているため、高い位置にある第１装飾部５２０のみによって照明される領域、高い位置にある第１装飾部５２０および低い位置にある第２装飾部５３０の両方によって照明される領域、低い位置にある第２装飾部５３０のみによって照明される領域などを設けることができ、遊技球通路や球の見え方のバリエーションを増やすことができる。
【００６４】
なお、この例では、第１レンズ５２０ａと第２レンズ５３０ａの各々を第１ＬＥＤ５２０ｂと第２ＬＥＤ５３０ｂの２つのＬＥＤによって照明する例を示したが、例えば、図１８（ｂ）に示すような態様としてもよい。この例では、第１レンズ５２０ａと第２レンズ５３０ａの両方を１つのＬＥＤ５１８によって照明するとともに、このＬＥＤ５１８を遊技球通路５１４の底面に上方に向けて配設している。このような構成とすれば、遊技球通路５１４を通過する球によってＬＥＤ５１８から出射される光が遮られることがあり、遊技通路や球の見え方のバリエーションをさらに増やすことができる。
【００６５】
以上説明したように、上記実施形態や変形例に係る遊技台は、遊技領域（例えば、遊技領域１２４）を有する遊技盤（例えば、遊技盤２００）と、前記遊技盤を支持する遊技枠（例えば、外枠１０２、前面枠扉１０６）と、前記遊技枠に設けられ、遊技領域を臨む開口部（例えば、前面枠扉の開口部）と、前記開口部に設けられた透明板（例えば、透明板部材１１８）と、前記遊技枠に設けられ、遊技枠を装飾する所定の装飾部（例えば、装飾ランプ３００）と、を備えた遊技台であって、前記所定の装飾部の所定の端（例えば、右装飾部３０６）を前記透明板上に突出させたことを特徴とする遊技台である。
【００６６】
このような遊技台によれば、遊技者に対し迫力のある演出をおこなうことができる場合がある。また、所定の装飾部に隠れていて店員から普段見えない領域が存在するため、所定の装飾部の周辺の目視により正常に遊技がおこなわれていることを確認できるので、メンテナンス性を向上させることができる場合がある。
【００６７】
また、前記遊技盤は、遊技球が通過可能な通出路（例えば、遊技球通路２１０）が設けられており、前記通出路を覆う前記所定の装飾部の一部を、前記通出路が視認可能とする透明部材（例えば、透明のプラスチック）にしてもよい。
【００６８】
このような構成とすれば、装飾効果を損ねることなく遊技の公正を保つことができる場合がある。
【００６９】
また、前記所定の装飾部は、第一の装飾部であり、前記所定の端は、第一の端であり、前記遊技盤は、遊技盤を装飾する第二の装飾部（例えば、盤面装飾部３６０）を備え、前記第一の端は、前記第二の装飾部の第二の端に対向するように突出させてもよい。
【００７０】
このような構成とすれば、遊技枠と遊技盤による一体的な演出をおこなうことができ、遊技者に対し迫力のある演出をおこなうことができる場合がある。
【００７１】
また、前記第一の装飾部および第二の装飾部は、それぞれを照らす発光装置（例えば、第１ＬＥＤ５２０ｂ、第２ＬＥＤ５３０ｂ)を有し、前記第二の端は、前記通出路を一部覆うように突出しており、前記第二の装飾部を照らす発光装置（例えば、第２ＬＥＤ５３０ｂ)は、前記第二の装飾部に覆われる前記遊技盤内部（例えば、演出装置５１０）に設けられていてもよい。
【００７２】
このような構成とすれば、遊技球の動作を妨げることなく装飾効果を高められるので、遊技の興趣を高めることができる場合がある。また、遊技球の通過による照明の点滅を抑制するため、遊技への集中を損なわない遊技台を遊技者へ提供することができる場合がある。
【００７３】
また、前記遊技枠は、開閉可能な遊技扉であり、前記遊技扉の一端は、回転軸（例えば、ヒンジ部１１２）により前記遊技扉を支持しており、前記遊技扉の他端は、前記遊技扉の一端よりも正面方向へ突出しており、前記第一の装飾部は、前記遊技扉の他端の上部に設けられ、前記第一の端は、少なくとも第二の端の一点と重なるように配置されていてもよい。
【００７４】
このような構成とすれば、遊技の公平性を保つと共に、遊技者に装飾部が連続的に配置されているように見えるので、遊技の興趣を高めることができる場合がある。また、店員は遊技が正常におこなわれていることを確認しやすいため、不正を防止し、遊技の公平性を保つことができる場合がある。
【００７５】
また、前記遊技盤は、前記遊技領域を流下する遊技球が流入するためのワープ入口（例えば、ワープ入口３８２ａ）から流入した遊技球を所定のワープ出口（例えば、ワープ出口３８２ｂ）に導出させるワープ通路（例えば、ワープ通路３８２）を備え、前記ワープ通路は、内部を移動する遊技球と外部から視認させるための透過部を有し、前記第一の装飾部の第一の端は、前記透明板上に突出し、前記ワープ通路の一部を覆うように配置されていてもよい。
【００７６】
このような構成とすれば、第一の装飾部の光がワープ通路の透過部に照射されることで、遊技球の見え方が変わり、多彩な演出をおこなうことができる場合がある。
【００７７】
なお、本発明に係る遊技台の構成は、上述した構成に限定されず、例えば、装飾ランプ３００の形状は特に限定されず、「所定の装飾部の所定の端を透明板上に突出させ」ていればよい。
【００７８】
また、本発明に係る「透明板」は無色透明の板状部材に限定されず、例えば、有色透明、有色半透明の板状部材も含まれる。また、材質もガラスやプラスチックに限定されず、透明（または半透明）樹脂などでもよい。また、本発明に係る「開口部」の形状も円形に限定されず、遊技領域を臨むことができる形状であればよい。また、本発明に係る「透過部」は、内部を移動する遊技球を外部から視認させるためのものであればよく、スリットや窓などでもよい。
【００７９】
また、本発明に係る「開口部」の縁形状は円形に限定されず、例えば、多角形でもよい。また、円形を採用した場合でも真円に限定されず、例えば、楕円形状や半円形状であってもよい。なお、第一の曲率である第一の縁と、第一の曲率よりも小さい第二の曲率である第二の縁を少なくとも有する楕円形状を採用した場合、所定の装飾部によって第二の縁の少なくとも一部を覆うように構成してもよい。このように、開口部の縁の少なくとも一部を装飾部によって視認不能または視認困難に構成すれば、装飾効果を高めることができる場合がある。特に、曲率の異なる第一の縁と第二の縁が連続して形成されていれば、第一の縁に連続する第二の縁の形状の一部を把握することが困難となるため、開口部全体の縁形状を分かりにくくすることができ、遊技者の興味を引くことができる場合がある。
【００８０】
また、本発明に係る「所定の装飾部の所定の端」は、遊技台の正面視右上に配置されるものに限定されず、例えば、正面視の中央上、左上、右下、中央下、左下などに配置してもよい。
また、上記実施形態や変形例に係る遊技台は、遊技領域（例えば、遊技領域１２４）が設けられた遊技盤（例えば、遊技盤２００）と、前記遊技盤の前方に設けられ、前記遊技領域を少なくとも臨む透過領域（例えば、透明板部材４００）と、前記遊技盤を支持する遊技枠（例えば、前面枠扉１０６）と、前記遊技枠に設けられ、該遊技枠を装飾する装飾手段（例えば、装飾ランプ４０４、右装飾部４０８など）と、前記透過領域へ光を照射可能な複数の発光手段（例えば、ＬＥＤ４０２ａ〜４０２ｄ）と、を備えた遊技台であって、前記遊技盤は、遊技球が通過可能な通路（例えば、遊技球通路２１０、５１４など）が設けられ、前記透過領域における複数の領域には、方向変化手段（例えば、反射板４００ｂ）が少なくとも設けられており、前記方向変化手段は、前記複数の発光手段により照射された光の進行方向を、前方へ変化可能な手段であり、前記装飾手段（例えば、右装飾部４０８）の少なくとも一の端部は、前記方向変化手段の前方に突出し、前記装飾手段は、第一の装飾部（例えば、第１装飾部５２０）を含み、前記遊技盤は、該遊技盤を装飾する第二の装飾部（例えば、第２装飾部５３０）を備え、前記第一の装飾部は、該第一の装飾部を照らす第一の発光装置（例えば、第１ＬＥＤ５２０ｂ）を有し、前記第二の装飾部は、該第二の装飾部を照らす第二の発光装置（例えば、第２ＬＥＤ５３０ｂ）を有し、前記第二の装飾部（例えば、第２装飾部５３０）の一部は、前記通路（例えば、遊技球通路５１４）を一部覆うように突出しており、前記第二の発光装置は、前記第二の装飾部に覆われる前記遊技盤の内部に設けられている、ことを特徴とする遊技台である。
また、前記装飾手段は、透過性を有する手段であってもよい。
また、前記複数の発光手段は、前記遊技枠に設けられた装飾用発光体であり、前記装飾用発光体の前方に、前記装飾手段が設けられてもよい。
また、前記遊技枠は、開閉可能な遊技扉（例えば、前面枠扉１０６）であり、前記遊技扉の一端側は、回転軸を中心として回動可能に外枠（例えば、外枠１０２）に支持されており、前記第一の装飾部は、前記遊技扉の他端側に設けられ、前記第一の装飾部と前記第二の装飾部とは、前記遊技領域を臨む正面視において少なくとも一部が重なるように対向して配置され、前記第一の装飾部は、前記第二の装飾部より前方側に位置する、ものであってもよい。
また、遊技領域（例えば、遊技領域３９０）を有する遊技盤（例えば、遊技盤３９０）と、前記遊技盤を支持する遊技枠（例えば、前面枠扉１０６）と、前記遊技盤の前方に設けられ、前記遊技領域を少なくとも臨む透過領域（例えば、透明板部材４００）と、前記遊技枠に設けられ、該遊技枠を装飾する装飾手段（例えば、装飾ランプ３９２、３００など）と、前記装飾手段を照らす第一の発光手段（例えば、装飾ランプ３９２（３００）の内部のＬＥＤなど）と、前記透過領域へ光を照射可能な第二の発光手段（例えば、ＬＥＤ４０２ａ〜４０２ｄ）と、を備えた遊技台であって、前記透過領域における複数の領域には、方向変化手段（反射板４００ｂ）が少なくとも設けられており、前記方向変化手段は、前記第二の発光手段より照射された光の進行方向を、前方へ変化可能な手段であり、前記遊技盤は、ワープ通路（例えば、ワープ通路３８２）を備え、前記ワープ通路は、前記遊技領域を流下する遊技球をワープ入口からワープ出口に導く通路であり、前記ワープ通路は、内部を移動する遊技球が外部から視認可能となる透過部を有し、前記装飾手段の少なくとも一の端部は、前記方向変化手段の前方に突出し、前記透過部の一部を覆うように配置され、前記装飾手段は、第一の装飾部（例えば、第１装飾部５２０）を含み、前記遊技盤は、該遊技盤を装飾する第二の装飾部（例えば、第２装飾部５３０）を備え、前記第一の装飾部は、該第一の装飾部を照らす第三の発光手段（例えば、第１ＬＥＤ５２０ｂ）を有し、前記第二の装飾部は、該第二の装飾部を照らす第四の発光手段（例えば、第２ＬＥＤ５３０ｂ）を有し、前記第二の装飾部の一部は、前記ワープ通路を一部覆うように突出しており、前記第四の発光手段は、前記第二の装飾部に覆われる前記遊技盤の内部に設けられている、ことを特徴とする遊技台である。
【００８１】
また、本発明の実施例に記載された作用および効果は、本発明から生じる最も好適な作用および効果を列挙したに過ぎず、本発明による作用および効果は、本発明の実施例に記載されたものに限定されるものではない。
【産業上の利用可能性】
【００８２】
本発明の遊技台は、回胴遊技機（スロットマシン）や弾球遊技機（パチンコ等）に代表される遊技台の分野で特に利用することができる。
【符号の説明】
【００８３】
１００  パチンコ機
１０２  外枠
１０４  本体
１０６  前面枠扉
２００  遊技盤
３００  装飾ランプ
３０２  左装飾部
３０４  中央装飾部
３０６  右装飾部
【図１】
0005740631.tif 000002
【図２】
0005740631.tif 000003
【図３】
0005740631.tif 000004
【図４】
0005740631.tif 000005
【図５】
0005740631.tif 000006
【図６】
0005740631.tif 000007
【図７】
0005740631.tif 000008
【図８】
0005740631.tif 000009
【図９】
0005740631.tif 000010
【図１０】
0005740631.tif 000011
【図１１】
0005740631.tif 000012
【図１２】
0005740631.tif 000013
【図１３】
0005740631.tif 000014
【図１４】
0005740631.tif 000015
【図１５】
0005740631.tif 000016
【図１６】
0005740631.tif 000017
【図１７】
0005740631.tif 000018
【図１８】
0005740631.tif 000019